(57)【特許請求の範囲】
【請求項１】
表面シートと、該表面シートに重合するように配置した裏面シートとから成り、前記両シートの少なくとも一側端部を開放して該両シートの対向面間に収納物を収納するとともに、所定のファイルに収容される収納ホルダであって、
前記裏面シートの開放可能な前記側端部に、前記ファイルとの係合部を備えた鍔部が延設されており、該鍔部に、前記両シートの対向面間の収納物を係止する係止部が設けられ、前記鍔部は、前記裏面シートから切り離し可能なミシン目に形成された切離部を介し、前記裏面シートに延設されていることを特徴とする収納ホルダ。
【請求項２】
前記鍔部は、前記裏面シートの側端縁の外方に向けて延設された延設部と、該延設部から前記表面シートの前面に向けて折返し延設された折返部とから成り、前記係止部は、前記折返部に設けられていることを特徴とする請求項１に記載の収納ホルダ。
【請求項３】
前記表面シートを構成する所定部は、前記表面シートを構成する本体部から切起して折返すことで、前記表面シートの端縁よりも外方に突出するように成っていることを特徴とする請求項１または２に記載の収納ホルダ。
【請求項４】
表面シートと、該表面シートに重合するように配置した裏面シートとから成り、前記両シートの少なくとも一側端部を開放して該両シートの対向面間に収納物を収納するとともに、所定のファイルに収容される収納ホルダの形成方法であって、
略矩形状の２枚のシート材を、２つ重ねにすることで前記両シートを形成し、前記両シートの少なくとも一側端部を開放可能に残して他の側端部の対向面間を互いに貼着し、
前記裏面シートの開放可能な前記側端部に外方に向けて、前記裏面シートから切り離し可能なミシン目に形成された切離部を介し延設された延設部と、該延設部から更に外方に延設された折返部とから成り、前記ファイルとの係合部を備えた鍔部の前記折返部の端縁部を、前記両シートの対向面間の収納物を係止する係止部として前記表面シートの前面に向けて折返すことで、収納ホルダが形成されるようにしたことを特徴とする収納ホルダの形成方法。
【請求項５】
表面シートと、該表面シートに重合するように配置した裏面シートとから成り、前記両シートの少なくとも一側端部を開放して該両シートの対向面間に収納物を収納するとともに、所定のファイルに収容される収納ホルダの形成方法であって、
略矩形状の原シート材を、所定の折線に沿って２つ折りにすることで前記折線を境に前記両シートを形成し、前記両シートの少なくとも一側端部を開放可能に残して他の側端部の対向面間を互いに貼着し、
前記裏面シートの開放可能な前記側端部に外方に向けて、前記裏面シートから切り離し可能なミシン目に形成された切離部を介し延設された延設部と、該延設部から更に外方に延設された折返部とから成り、前記ファイルとの係合部を備えた鍔部の前記折返部の端縁部を、前記両シートの対向面間の収納物を係止する係止部として前記表面シートの前面に向けて折返すことで、収納ホルダが形成されるようにしたことを特徴とする収納ホルダの形成方法。
【発明の詳細な説明】
【技術分野】
【０００１】
本発明は、表面シートと、この表面シートに重合するように配置した裏面シートとから成り、これら両シートの少なくとも一側端部を開放して両シートの対向面間に収納物を収納するとともに、所定のファイルに収容される収納ホルダに関する。
【背景技術】
【０００２】
従来の収納ホルダは、収納ホルダを構成する両シートの少なくとも一側端部が開放可能に形成されており、所定サイズの紙類・書類等の収納物を、これら両シートの対向面間に挟むことで収納している（例えば、特許文献１参照）。
【先行技術文献】
【特許文献】
【０００３】
【特許文献１】実用新案登録第３１４６０４６号公報（第４頁、第２図）
【発明の概要】
【発明が解決しようとする課題】
【０００４】
しかしながら、特許文献１にあっては、両シートの対向面間に収納された収納物が、開放可能に形成された両シートの側端部から脱落してしまう虞が生じるという問題がある。
【０００５】
本発明は、このような問題点に着目してなされたもので、収納物を脱落させることなく確実に収納できる収納ホルダ及びその形成方法を提供することを目的とする。
【課題を解決するための手段】
【０００６】
前記課題を解決するために、本発明の収納ホルダは、
表面シートと、該表面シートに重合するように配置した裏面シートとから成り、前記両シートの少なくとも一側端部を開放して該両シートの対向面間に収納物を収納するとともに、所定のファイルに収容される収納ホルダであって、
前記裏面シートの開放可能な前記側端部に、前記ファイルとの係合部を備えた鍔部が延設されており、該鍔部に、前記両シートの対向面間の収納物を係止する係止部が設けられ、前記鍔部は、前記裏面シートから切り離し可能なミシン目に形成された切離部を介し、前記裏面シートに延設されていることを特徴としている。
この特徴によれば、収納ホルダのファイルとの係合部を備えた鍔部を利用して、この鍔部に収納物を係止する係止部が設けられていることで、他に別段の構成を用いることなく、収納物を収納ホルダから脱落させず確実に収納できる。また裏面シートを鍔部から切離部で切離すだけで、収容されていた所定のファイルから収納ホルダの全体を取外すことなく、ファイルに鍔部を残し両シートを容易に取外すことができる。
【０００７】
本発明の収納ホルダは、
前記鍔部は、前記裏面シートの側端縁の外方に向けて延設された延設部と、該延設部から前記表面シートの前面に向けて折返し延設された折返部とから成り、前記係止部は、前記折返部に設けられていることを特徴としている。
この特徴によれば、係止部が、表面シートの前面に向けて折返し延設された鍔部の折返部に設けられていることで、表面シートが裏面シートの側端縁から延設された鍔部の延設部と折返部とにより挟まれるように配置されることになり、両シート間の収納物を係止し易い。
【０００９】
本発明の収納ホルダは、
前記表面シートを構成する所定部は、前記表面シートを構成する本体部から切起して折返すことで、前記表面シートの端縁よりも外方に突出するように成っていることを特徴としている。
この特徴によれば、表面シートを構成する所定部が、表面シートを構成する切起して折返すだけで、表面シートの端縁よりも外方に突出するため、他に別段の構成を用いることなく、表面シートを構成する所定部を収納ホルダのタグや把手等として利用できる。
【００１０】
本発明の収納ホルダの形成方法は、
表面シートと、該表面シートに重合するように配置した裏面シートとから成り、前記両シートの少なくとも一側端部を開放して該両シートの対向面間に収納物を収納するとともに、所定のファイルに収容される収納ホルダの形成方法であって、
略矩形状の２枚のシート材を、２つ重ねにすることで前記両シートを形成し、前記両シートの少なくとも一側端部を開放可能に残して他の側端部の対向面間を互いに貼着し、
前記裏面シートの開放可能な前記側端部に外方に向けて、前記裏面シートから切り離し可能なミシン目に形成された切離部を介し延設された延設部と、該延設部から更に外方に延設された折返部とから成り、前記ファイルとの係合部を備えた鍔部の前記折返部の端縁部を、前記両シートの対向面間の収納物を係止する係止部として前記表面シートの前面に向けて折返すことで、収納ホルダが形成されるようしたことを特徴としている。
この特徴によれば、収納ホルダのファイルとの係合部を備えた鍔部を利用して、この鍔部に収納物を係止する係止部が設けられていることで、他に別段の構成を用いることなく、２枚のシート材を材料にして収納ホルダを容易に形成できるばかりか、係止部が、表面シートの前面に向けて折返し延設された折返部に設けられていることで、表面シートが、裏面シートの側端縁から延設された鍔部の延設部と折返部とにより挟まれるように配置されることになり、両シート間の収納物を係止し易い。また裏面シートを鍔部から切離部で切離すだけで、収容されていた所定のファイルから収納ホルダの全体を取外すことなく、ファイルに鍔部を残し両シートを容易に取外すことができる。
【００１１】
本発明の収納ホルダの形成方法は、表面シートと、該表面シートに重合するように配置した裏面シートとから成り、前記両シートの少なくとも一側端部を開放して該両シートの対向面間に収納物を収納するとともに、所定のファイルに収容される収納ホルダの形成方法であって、
略矩形状の原シート材を、所定の折線に沿って２つ折りにすることで前記折線を境に前記両シートを形成し、前記両シートの少なくとも一側端部を開放可能に残して他の側端部の対向面間を互いに貼着し、
前記裏面シートの開放可能な前記側端部に外方に向けて、前記裏面シートから切り離し可能なミシン目に形成された切離部を介し延設された延設部と、該延設部から更に外方に延設された折返部とから成り、前記ファイルとの係合部を備えた鍔部の前記折返部の端縁部を、前記両シートの対向面間の収納物を係止する係止部として前記表面シートの前面に向けて折返すことで、収納ホルダが形成されるようにしたことを特徴としている。
この特徴によれば、収納ホルダのファイルとの係合部を備えた鍔部を利用して、この鍔部に収納物を係止する係止部が設けられていることで、他に別段の構成を用いることなく、原シート材を材料にして収納ホルダを容易に形成できるばかりか、係止部が、表面シートの前面に向けて折返し延設された折返部に設けられていることで、表面シートが、裏面シートの側端縁から延設された鍔部の延設部と折返部とにより挟まれるように配置されることになり、両シート間の収納物を係止し易い。また裏面シートを鍔部から切離部で切離すだけで、収容されていた所定のファイルから収納ホルダの全体を取外すことなく、ファイルに鍔部を残し両シートを容易に取外すことができる。
【図面の簡単な説明】
【００１２】
【図１】（ａ）は、実施例１における収納ホルダを示す正面図であり、（ｂ）は、（ａ）のＡ−Ａ断面図である。
【図２】２枚の紙製シート材を示す正面図である。
【図３】紙製シート材を重合した状態を示す正面図である。
【図４】鍔部から切離した収納ホルダを示す図である。
【図５】原シート材を示す正面図である。
【図６】２つ折りにした原シート材を示す正面図である。
【図７】変形例における収納ホルダを示す正面図である。
【発明を実施するための形態】
【００１３】
本発明に係る収納ホルダ及びその形成方法を実施するための形態を実施例に基づいて以下に説明する。
【実施例１】
【００１４】
先ず、実施例１に係る収納ホルダの構造につき、図１から図４を参照して説明する。以下、図１（ａ）及び図３，４の紙面上下左右側を、収納ホルダの上下左右側として説明する。図１の符号１０は、本発明の適用された収納ホルダである。収納ホルダ１０は、例えば各種寸法の用紙や書類、写真等の収納物（以下、収納物Ｓと称する）を収納するべく、この収納物Ｓの所定サイズ（本実施例ではＡ４サイズ）よりも若干大きい寸法の略矩形状の紙製の両シート１１，１２から主に構成されている。また、収納ホルダ１０は、裏面シート１２の右側端部に連続した鍔部１４に、リング部材Ｒを有するファイルＦ（図４参照）との係合部としてのパンチ孔１４ｃ，１４ｃを備え、このファイルＦに収容されるようになっている。
【００１５】
収納ホルダ１０は、より具体的には、収納物の表面側に位置する表面シート１１と、この表面シート１１に重合するように配置した裏面シート１２とから成る。両シート１１，１２は、略同形状の縦長略矩形状に形成され、図１（ａ）の紙面の左側端部及び下側端部が閉塞され、右側端部及び上側端部が開放可能な構造と成っており、両シート１１，１２の右側端部及び／または上側端部を互いに開放することで、両シート１１，１２の対向面１１ａ，１２ａ間に収納物Ｓを収納できるように構成される。尚、表面シート１１は透光性を有する素材で、更に裏面シート１２は透光性を有さない素材で成ることが好ましいが、例えば、両面ともに透光性を有する素材であっても構わないし、透光性を有さない素材であっても構わない。
【００１６】
尚、本発明に係る収納ホルダは、両シートの少なくとも一側端部が開放可能に構成されていればよく、例えば左右何れかの側端部、若しくは上側端部に限り開放可能であっても構わない。
【００１７】
図１（ａ）に示されるように、表面シート１１は、本体部１５と、本体部１５に連続し収納ホルダ１０の所定箇所に配置された所定部１３と、から構成されている。所定部１３は、より具体的には、収納ホルダ１０の閉塞された左側部に、上下方向に４箇所並設されており、各所定部１３は、縦長略台形状に形成され、その上下辺及び右辺が切起し可能にミシン目に形成された切起部１３ａを介して本体部１５に連続するとともに、その左辺が折返線１３ｂを介して本体部１５に連続している。
【００１８】
図１（ａ）、（ｂ）に示されるように、表面シート１１の各所定部１３は、収納ホルダ１０の使用者が任意に切起部１３ａに沿って本体部１５から切り起し、折返線１３ｂに沿って本体部１５の前方側に折り返すことで、折り返した所定部１３の端縁が収納ホルダ１０の左側縁よりも左方に突出するように成っており、例えば突出した所定部１３に収納物の表示を施すことでインデックスとして使用できる。
【００１９】
尚、所定部の配置箇所や数量は、必ずしも上述した収納ホルダ１０の左側部に上下方向に４箇所に限られず、例えば所定部は、収納ホルダ１０の上側部に１箇所若しくは複数箇所設けられてもよいし、また左側部と上側部など複数の側部にかけて設けられても構わない。
【００２０】
鍔部１４は、裏面シート１２から切り離し可能にミシン目に形成された切離部Ｋを介し、裏面シート１２の右側端縁に連続して延設されている。鍔部１４は、より詳細には、裏面シート１２の右側端縁の右方に延設された延設部１４ａと、延設部１４ａから更に表面シート１１の前面１１ｂに向けて折返し延設された折返部１４ｂと、から成る。
【００２１】
次に、収納ホルダ１０の形成方法について、その手順に従って説明する。
【００２２】
上述した収納ホルダ１０は、図２に示されるように、２枚の紙製シート材１１、１２を後述のように加工することで形成される。紙製シート材１２は鍔部１４を配置した大きさの横長略矩形状であって、鍔部１４の折返部１４ｂは、図示上下方向に示される折線Ｍを介し、延設部１４ａよりも図示左右幅寸法が長く形成されている。
【００２３】
図３に示されるように、この紙製シート材１１、１２を２つ重ねにして重合するとともに、重合した両シート材の下側及び左側端部の接着部Ｎを接着することで、表面シート１１及び裏面シート１２が形成されることになる。また左側端部及び下側端部は接着部Ｎにより閉塞され、右側端部及び上側端部は開放可能に成っている。
【００２４】
次に、図３に示される鍔部１４の折返部１４ｂを、折線Ｍに沿って、表面シート１１の前面側に向けて折り返す。延設部１４ａよりも左右幅寸法が長い折返部１４ｂの端縁部Ｔが、係止部として表面シート１１の前面１１ｂの右端縁を係止し、更に表面シート１１を介して両シート１１，１２の対向面１１ａ，１２ａ間に収納された収納物Ｓを係止するように成っている。
【００２５】
尚、鍔部１４のパンチ孔１４ｃ，１４ｃは、折返部１４ｂを折返した後に鍔部１４の該当箇所を穿設して形成するが、鍔部１４の折返部１４ｂを折り返す以前から形成されていてもよい。
【００２６】
以上説明したように、収納ホルダ１０のファイルＦとの係合部であるパンチ孔１４ｃを備えた鍔部１４を利用して、この鍔部１４に収納物Ｓを係止する係止部としての端縁部Ｔが設けられていることで、他に別段の構成を用いることなく、収納物Ｓを収納ホルダ１０から脱落させず確実に収納できる。
【００２７】
尚、収納物Ｓを係止する係止部としての端縁部Ｔは、必ずしも鍔部１４が形成される上下端縁全体に亘って設けられるものに限られず、例えば係止部は、折返部の上側箇所など一部箇所のみに設けられ、当該一部箇所を除く他の箇所における延設部と折返部とを貼着する構成にしてもよい。このような構成によれば、前記他の箇所における延設部と折返部との貼着により、前記係止部が設けられた一部箇所の折返部が延設部側に引寄せられる作用が働き、この作用により前記係止部が表面シートを介して収納物を確り係止できる。
【００２８】
また、両シート１１，１２の対向面１１ａ，１２ａ間の収納物Ｓを係止する係止部が、表面シート１１の前面１１ｂに向けて折返し延設された鍔部１４の折返部１４ｂの端縁部Ｔから成ることで、表面シート１１が裏面シート１２の側端縁から延設された鍔部１４の延設部１４ａと折返部１４ｂとにより挟まれるように配置されることになり、両シート１１，１２間の収納物Ｓを係止し易い。
【００２９】
また、鍔部１４が、裏面シート１２から切り離し可能な切離部Ｋを介し、裏面シート１２に延設されていることで、図４に示されるように、裏面シート１２を鍔部１４から切離部Ｋで切離すだけで、収容されていたファイルＦから収納ホルダ１０の全体を取外すことなく、ファイルＦに鍔部１４を残し両シート１１，１２を容易に取外すことができる。
【００３０】
更に、表面シート１１を構成する所定部１３が、この所定部１３に連続して表面シート１１を構成する本体部１５から、切起部１３ａで切起して折返部１３ｂで折返すだけで、表面シート１１の左端縁よりも左方に突出するため、他に別段の構成を用いることなく、表面シート１１を構成する所定部１３を収納ホルダ１０のタグや把手等として利用できるばかりか、所定部１３を切起して折返すことで表面シート１１に形成される窓部を介し、収納ホルダ１０内の収納物Ｓの存在を確認できる。
【００３１】
また、上述した収納ホルダ１０の形成方法によれば、収納ホルダ１０のファイルＦとの係合部であるパンチ孔１４ｃを備えた鍔部１４を利用して、この鍔部１４に収納物Ｓを係止する係止部としての端縁部Ｔが設けられていることで、他に別段の構成を用いることなく、２枚の紙製シート材１１、１２を材料にして収納ホルダ１０を容易に形成できるばかりか、係止部が、表面シート１１の前面１１ｂに向けて折返し延設された折返部１４ｂの端縁部Ｔから成ることで、表面シート１１が裏面シート１２の側端縁から延設された鍔部１４の延設部１４ａと折返部１４ｂとにより挟まれるように配置されることになり、両シート１１，１２間の収納物を係止し易い。
【実施例２】
【００３２】
次に、実施例２にかかる収納ホルダ１０’の形成方法について、図５，６を参照してその手順に従って説明する。尚、上述した形成方法と重複する説明については省略する。
【００３３】
収納ホルダ１０’は、図５に示されるように、紙製の原シート材１を後述のように加工することで形成される。原シート材１は、上述した両シート１１’，１２’を左右に連続配置し、更に裏面シート１２’に鍔部１４を連続配置した大きさの横長略矩形状であって、両シート１１’，１２’は、図示中央に上下方向に示される折線Ｌを中心線として、図示左右略対称に形成されている。また、鍔部１４の折返部１４ｂは、図示上下方向に示される折線Ｍを介し、延設部ａよりも図示左右幅寸法が長く形成されている。この原シート材１は、図示しない原シートロールを所定延長ピッチで裁断することで、連続的に多数枚形成できるように成っている。
【００３４】
図６に示されるように、この原シート材１を折線Ｌに沿って２つ折りにして重合するとともに、重合した原シート材１の下側端部の接着部Ｎを接着することで、折線Ｌを境にして表面シート１１’及び裏面シート１２’が形成されることになる。図５に示されるように、重合した原シート材１の左側端部は折線Ｌにより閉塞され、重合した原シート材１の下側端部は接着部Ｎにより閉塞される。また、重合した原シート材１の右側端部及び上側端部は開放可能に成っている。
【００３５】
上述した収納ホルダ１０’の形成方法によれば、収納ホルダ１０’のファイルとの係合部であるパンチ孔１４ｃを備えた鍔部１４を利用して、この鍔部１４に収納物を係止する係止部としての端縁部Ｔが設けられていることで、他に別段の構成を用いることなく、原シート材１を材料にして収納ホルダ１０’を容易に形成できるばかりか、係止部が、表面シート１１’の前面１１ｂ’に向けて折返し延設された折返部１４ｂの端縁部Ｔから成ることで、表面シート１１’が裏面シート１２’の側端縁から延設された鍔部１４の延設部１４ａと折返部１４ｂとにより挟まれるように配置されることになり、両シート１１’，１２’間の収納物を係止し易い。
【００３６】
以上、本発明の実施例を図面により説明してきたが、具体的な構成はこれら実施例に限られるものではなく、本発明の要旨を逸脱しない範囲における変更や追加があっても本発明に含まれる。
【００３７】
例えば、本発明に係る収納ホルダの変形例として、図７に示されるように、収納ホルダ２０の表面シート２１が、上述した所定部を有さず本体部のみで構成されるとともに、鍔部２４が上述した切離部を介さず裏面シート２２に連続して構成されるものであってもよい。このような構成によれば、収納ホルダ２０の構造を単純化して安価に形成することができる。尚、収納ホルダ２０の表面シート２１に上述した所定部を施してもよいし、また収納ホルダ２０の鍔部が上述した切離部を介して裏面シート２２に連続して設けても構わない。
【００３８】
また、収納ホルダの形状・寸法、材質、形成方法は、上述した実施例や変形例に限定されるものではなく、適宜設定・変更できるものである。例えば、収納ホルダの材質は、所定の樹脂製であってもよい。
【符号の説明】
【００３９】
１                原シート材
１０，１０’      収納ホルダ
１１，１１’      表面シート
１１ａ，１１ａ’  対向面
１２，１２’      裏面シート
１２ａ，１２ａ’  対向面
１３              所定部
１４              鍔部
１４ａ            延設部
１４ｂ            折返部
１４ｃ            パンチ孔（係合部）
１５              本体部
２０              収納ホルダ
【図１】
0005393371.tif 000002
【図２】
0005393371.tif 000003
【図３】
0005393371.tif 000004
【図４】
0005393371.tif 000005
【図５】
0005393371.tif 000006
【図６】
0005393371.tif 000007
【図７】
0005393371.tif 000008